(57)【要約】  ヘッドマウントディスプレイ１においては、電源投入直後は、図１（ａ）のＡに示すように、十字キー７の機能が表示部６に表示されているが、表示される内容は、ＦＦ（早送り）、ＲＥＷ（巻き戻し）、Vol+（音量増）、Vol-（音量減）となっており、音声情報を変更する操作のみが可能とされている。すなわち、電源投入直後は、ヘッドマウントディスプレイ１の機能は、音声情報のみを扱う機能となっており、映像情報を扱う機能を有していない。電源投入後、映像情報を得たいときは、使用者は押しボタンスイッチ８を押す。すると、図１（ｂ）のＢに示すように、曲名選択画面のような映像情報が表示され、十字キー７の操作により、映像情報を変更することができるモードとなる。よって、使用開始時の操作が容易な表示装置とすることができる。
2008015937.tif 000002
【特許請求の範囲】
【請求項１】
頭部に装着して映像を使用者の眼に直接投影することにより表示する表示部を有する表示装置であって、当該表示装置は音声を出力する音声出力部と、当該表示装置又は当該表示装置に接続されている装置を操作するための操作部材を有し、当該操作部材によって操作される操作内容は、出力される音声情報を変更する第一の操作と、出力される映像情報を変更する第二の操作を有し、当該表示装置の使用開始直後は第一の操作が可能となっており、かつ、当該表示装置は、その状態から、使用者が第二の操作へと切り替えるための入力部材を有することを特徴とする表示装置。
【請求項２】
頭部に装着して映像を使用者の眼に直接投影することにより表示する表示部を有する表示装置であって、当該表示装置は音声を出力する音声出力部と、当該表示装置又は当該表示装置に接続されている装置を操作するための操作部材を有し、当該操作部材によって操作される操作内容は、出力される音声情報を変更する第一の操作と、出力される映像情報を変更する第二の操作を有し、使用開始直後は第一の操作が可能となっており、かつ、当該表示装置は、使用者が第二の操作へと切り替えることを可能とすることを許可するための入力部材を有することを特徴とする表示装置。
【請求項３】
請求項１又は請求項２に記載の表示装置であって、使用者の眼に映像を投影することが可能な第一の状態と、使用者の眼に映像を投影することが不可能な第二の状態とを有し、
前記入力部材の操作は、前記第一の状態と第二の状態を切り替えることによって操作されることを特徴とする表示装置。
【請求項４】
請求項１から請求項３のうちいずれか１項に記載の表示装置であって、前記第一の操作が可能な状態において、表示映像の輝度の低下、映像表示の停止、映像表示回路の省電力モードへの移行、映像表示回路への電源供給の停止のいずれかが可能とされ、前記入力部材の操作によってこれらの状態から復帰することを特徴とする表示装置。
【請求項５】
請求項１から請求項４のうちいずれか１項に記載の表示装置であって、映像情報変更操作が可能な状態か音声情報操作が可能な状態かを表示する部材を、前記表示部とは別に持つことを特徴とする表示装置。
【発明の詳細な説明】
【技術分野】
【０００１】
本発明は表示装置に関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１公報（特許文献１）に記載されている。【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。
【特許文献１】ＷＯ２００４／０６１５１９Ａ１公報
【発明の開示】
【発明が解決しようとする課題】
【０００４】
ヘッドマウントディスプレイは通常のディスプレイと異なり、接眼レンズ越しにＬＣＤ等の表示パネルを観察するため、眼の位置を接眼レンズに対して正しく配置しないと、映像を観察できないという問題がある。【０００５】
又、ヘッドマウントディスプレイの機能として、あるいはヘッドマウントディスプレイに接続されたＡＶプレーヤの機能として、音楽再生機能のように音を再生する機能と動画再生機能のように映像を再生する機能とがある場合、たとえばユーザが音楽を再生しようとしてヘッドマウントディスプレイの電源を入れたときに、ヘッドマウントディスプレイのモードが動画再生モードとなっていると、一度画面を見ながら動作モードを切り替えるといった作業が必要になるという問題がある。【０００６】
その際、先に記述したようにヘッドマウントディスプレイでは映像を観察するためには接眼レンズの位置を正しくセットするという作業が必要になるため、動作モードを切り替えるという作業は、ユーザにとって負担である。また映像を観察しないまま操作を続けるとユーザの意図しない動作状況に陥ってしまいユーザが混乱してしまうという問題があった。【０００７】
本発明は、このような事情に鑑みてなされたものであり、使用開始時の操作が容易な表示装置を提供することを課題とする。
【課題を解決するための手段】
【０００８】
前記課題を解決するための第１の手段は、頭部に装着して映像を使用者の眼に直接投影することにより表示する表示部を有する表示装置であって、当該表示装置は音声を出力する音声出力部と、当該表示装置又は当該表示装置に接続されている装置を操作するための操作部材を有し、当該操作部材によって操作される操作内容は、出力される音声情報を変更する第一の操作と、出力される映像情報を変更する第二の操作を有し、当該表示装置の使用開始直後は第一の操作が可能となっており、かつ、当該表示装置は、その状態から、使用者が第二の操作へと切り替えるための入力部材を有することを特徴とする表示装置である。【０００９】
前記課題を解決するための第２の手段は、頭部に装着して映像を使用者の眼に直接投影することにより表示する表示部を有する表示装置であって、当該表示装置は音声を出力する音声出力部と、当該表示装置又は当該表示装置に接続されている装置を操作するための操作部材を有し、当該操作部材によって操作される操作内容は、出力される音声情報を変更する第一の操作と、出力される映像情報を変更する第二の操作を有し、使用開始直後は第一の操作が可能となっており、かつ、当該表示装置は、使用者が第二の操作へと切り替えることを可能とすることを許可するための入力部材を有することを特徴とする表示装置である。【００１０】
前記課題を解決するための第３の手段は、前記第１の手段又は第２の手段であって、使用者の眼に映像を投影することが可能な第一の状態と、使用者の眼に映像を投影することが不可能な第二の状態とを有し、前記入力部材の操作は、前記第一の状態と第二の状態を切り替えることによって操作されることを特徴とするものである。【００１１】
前記課題を解決するための第４の手段は、前記第１の手段から第３の手段のいずれかであって、前記第一の操作が可能な状態において、表示映像の輝度の低下、映像表示の停止、映像表示回路の省電力モードへの移行、映像表示回路への電源供給の停止のいずれかが可能とされ、前記入力部材の操作によってこれらの状態から復帰することを特徴とするものである。【００１２】
前記課題を解決するための第５の手段は、前記第１の手段から第４の手段のいずれかであって、映像情報変更操作が可能な状態か音声情報操作が可能な状態かを表示する部材を、前記表示部とは別に持つことを特徴とすることを特徴とするものである。
【発明の効果】
【００１３】
本発明によれば、使用開始時の操作が容易な表示装置を提供することができる。
【図面の簡単な説明】
【００１４】
【図１】本発明の第１の実施の形態であるヘッドマウントディスプレイの概要を示す図である。
【図２】本発明の第２の実施の形態であるヘッドマウントディスプレイの概要を示す図である。
【図３】本発明の第３の実施の形態であるヘッドマウントディスプレイの概要を示す図である。
【符号の説明】
【００１５】
１…ヘッドマウントディスプレイ、２…ヘッドホーンハウジング、３…ヘッドホーンハウジング、４…結合部、５…支持アーム、６…表示部、７…十字キー、８…押しボタンスイッチ
【発明を実施するための最良の形態】
【００１６】
以下、本発明の実施の形態の例を、図を用いて説明する。図１は、本発明の第１の実施の形態であるヘッドマウントディスプレイの概要を示す図である。表示装置であるヘッドマウントディスプレイ１は、ヘッドホーンハウジング２、３を有し、これらは弾性のある結合部４で結合されている。一つのヘッドホーンハウジング２には、支持アーム５が取り付けられており、支持アーム５の先端部に、眼に映像を表示する表示部６が取り付けられている。この表示部６は、ＬＣＤ等の表示デバイスと、表示デバイスの像を使用者の網膜に投影するための接眼光学系を有している。ヘッドマウントディスプレイ１を使用する場合は、ヘッドホーンハウジング２、３で両耳を挟み、結合部４を頭頂部方向に位置させて、支持アーム５及び表示部６の位置調整を行い、表示部６を眼前に位置させて使用する。【００１７】
ヘッドホーンハウジング３には、ヘッドマウントディスプレイ１又はそれに接続されている装置を操作するための操作部材である十字キー７が設けられると共に、押しボタンスイッチ８が設けられている。又、ヘッドホーンハウジング２、３の少なくとも一方には、電源回路や表示デバイスを制御する映像表示回路、ヘッドホーンに音声信号を出力する音声出力回路、コンテンツデータを再生する信号処理回路、コンテンツデータを格納する記憶部、そして、各種キーや押しボタンスイッチ、リミットスイッチ等の入力を検出して各種回路を制御する制御部が設けられている。【００１８】
このヘッドマウントディスプレイ１においては、電源投入直後は、図１（ａ）のＡに示すように、十字キー７の機能が表示部６に表示されているが、表示される内容は、ＦＦ（早送り）、ＲＥＷ（巻き戻し）、Vol+（音量増）、Vol-（音量減）となっており、音声情報を変更する操作のみが可能とされている。なお、電源投入直後のこの表示は、必ずしも行わなくてもよい。【００１９】
すなわち、電源投入直後は、ヘッドマウントディスプレイ１の機能は、音声情報のみを扱う機能となっており、映像情報を扱う機能を有していない。よって、使用者が、音声情報のみを聞きたいと思って電源を投入したときに、ヘッドマウントディスプレイ１が映像情報を扱う機能となっていないので、表示部６の表示を見ながら十字キー７を操作して、音声情報のみを扱う機能に変更するという煩わしい作業を行わなくてもよい。【００２０】
電源投入後、映像情報を得たいときは、使用者は押しボタンスイッチ８を押す。すると、図１（ｂ）のＢに示すように、曲名選択画面のような映像情報が表示され、十字キー７の操作により、映像情報を変更することができるモードとなる。【００２１】
なお、音声情報を変更する操作のみが可能とされているモードのとき（図１（ａ）に相当）のときには、表示映像の輝度の低下、映像表示の停止、映像表示回路の省電力モードへの移行、映像表示回路への電源供給の停止のいずれかが入力可能とされるように、制御部で操作可能にしてもよい。このようにすることにより、省電力を図ることができる。このような動作が行われた場合には、押しボタンスイッチ８の操作により映像情報を変更することができるモードに切り替わったとき、自動的にこのような動作からの復帰ができるようにしておくことが望ましい。又、音声情報を変更する操作のみが可能とされているモードに移行してから一定時間後に、表示映像の輝度の低下、映像表示の停止、映像表示回路の省電力モードへの移行、映像表示回路への電源供給の停止のいずれかを行うようにしてもよい。【００２２】
なお、図１に示した例においては、音声情報を変更する操作のみが可能とされている状態（図１（ａ）の状態）と、映像情報を変更することができるモード（図１（ｂ））の状態とで、操作器として同じ十字キー７を使用し、その機能を変更していたが、音声操作用の操作器と映像操作用の操作器とを別にし、音声情報を変更する操作のみが可能とされている状態では、映像操作用の操作器の動作を無効とするようにしてもよい。【００２３】
図２は、本発明の第２の実施の形態であるヘッドマウントディスプレイの概要を示す図である。なお、以下の図において、前出の図に示された構成要素と同じ構成要素には、同じ符号を付して、その説明を省略することがある。【００２４】
このヘッドマウントディスプレイ１においても、電源投入直後は、図２（ａ）のＣに示すように、十字キー７の機能が表示部６に表示されているが、表示される内容は、ＦＦ（早送り）、ＲＥＷ（巻き戻し）、Vol+（音量増）、Vol-（音量減）となっており、音声情報を変更する操作のみが可能とされている。それと同時に、押しボタンスイッチ８の表示もされているが、押しボタンスイッチ８の機能については何も表示されていない。なお、電源投入直後のこの表示は、必ずしも行わなくてもよい。【００２５】
すなわち、電源投入直後は、ヘッドマウントディスプレイ１の機能は、音声情報のみを扱う機能となっており、映像情報を扱う機能を有していない。よって、使用者が、音声情報のみを聞きたいと思って電源を投入したときに、ヘッドマウントディスプレイ１が映像情報を扱う機能となっていないので、表示部６の表示を見ながら十字キー７を操作して、音声情報のみを扱う機能に変更するという煩わしい作業を行わなくてもよい。【００２６】
電源投入後、映像情報を得たいときは、使用者は押しボタンスイッチ８を押す。すると、図２（ｂ）のＤに示すように、押しボタンスイッチ８の表示に「下へ」との機能が表示され、押しボタンスイッチ８が、下の階層への移行の機能を有するものとなったことが表示される。もし、使用者が、間違えて押しボタンスイッチ８を押してしまったときは、十字キー７の操作により、再び図２（ａ）のＣの表示に戻る。【００２７】
画面の押しボタンスイッチ８に、「下へ」の表示がされているときに再び使用者が押しボタンスイッチ８を押すと、下の階層に移り、画面の表示は図２（ｃ）のＥのようになり、図１（ｂ）のＢと同じように音楽の曲名選択の表示がされる。以後の使用方法は、図１に示した実施の形態のヘッドマウントディスプレイと同じである。【００２８】
すなわち、本実施の形態においては、使用者が押しボタンスイッチ８を一度押しても、直ちに曲名選択に入らず、押しボタンスイッチ８を一度押すことによっては、曲名選択の操作（第二の操作）に入ることを許可するモードとなるようになっている。このように、操作を二段階にすることにより、間違えて押しボタンスイッチ８を押した場合でも、誤操作となることを防ぐことができる。【００２９】
以上の表示の制御やボタンの割り当ては、ヘッドホーンハウジング２又は３内に備えられた制御部で行われており、制御部の制御を受けて、映像出力回路が当該映像を出力する。【００３０】
図３は、本発明の第３の実施の形態であるヘッドマウントディスプレイの概要を示す図である。この実施の形態においては、支持アーム５が本発明の第２に設けられた回動軸を中心に、図に示すように上下方向に回動するようになっている。破線で示した状態が、映像を見ている状態の位置で、実線で示した状態が、映像を見ていない状態を示し、この場合には、表示部６が眼の位置から離れている。支持アーム５と表示部６が実線で示した状態にあるときは、映像表示を行っても無駄であるので、音声出力のみを行う音声モードとする。そして、支持アーム５と表示部６が破線で示した状態にあるときは、映像を表示可能な映像モードとする。【００３１】
このような切り替えを行うことにより、無駄に映像を表示することを防止できる。なお、支持アーム５と表示部６が破線の状態にあるのか実線の状態にあるのかは、例えば、ヘッドホーンハウジング２の回動軸に設けられたリミットスイッチ等により検出が可能である。この場合には、リミットスイッチ等が、「入力部材」に相当することになる。【００３２】
なお、ヘッドマウントディスプレイ１が、音声モードにあるのか映像モードにあるのかは、外部から見ただけでは分からないことがあり、不便である。よって、ヘッドマウントディスプレイ１の表示部６の表示以外の、外から見える位置に、どちらのモードにあるのかを表示する表示装置を付けるのが好ましい。このようにすると、使用者は、動作モードを把握した上でヘッドマウントディスプレイ１を装着することができるため、機能の切り替え操作をスムースに行うことができる。この表示は、ＬＣＤ等で絵や文字として表示してもよいし、単にＬＥＤ等の点灯により表示するようにしてもよい。
【図１】
2008015937.tif 000003
【図２】
2008015937.tif 000004
【図３】
2008015937.tif 000005
【国際調査報告】
2008015937.tif 000006
2008015937.tif 000007